(57)【要約】【課題】  遊技者によりスタートレバーを操作された場合だけ可変表示装置の駆動を開始可能とした遊技機を提供すること。【解決手段】  スタートレバー２９は、軸部８１を中心として所定角度θ（θ０≦θ≦θ２）の範囲内で上下方向に揺動自在に設けられ、基端側には、例えば略球状に形成された操作部８３が固設され、先端側には、操作部８３の操作が行われ時に、軸部８１を中心としてその移動方向と逆方向に揺動する移動部８４が設けられている。移動部８４は、レバーの長手方向に突出伸長する３本の遮蔽部８４ａ〜８４ｃを有している。【選択図】  図４
2005230166.tif 000002
【特許請求の範囲】
【請求項１】
複数種類の図柄を可変表示させる可変表示部と、
該可変表示部の作動を開始させるために操作される操作部と、該操作部の操作によって所定範囲内を移動する移動部と、該移動部の移動過程でその移動に対応して複数の移動検出信号を出力する検出信号発信部とを有する開始手段と、
前記検出信号発信部により出力された前記複数の移動検出信号に基づいて該操作部の操作が行われたか否かを判定する適正操作判定手段と、
を備えたことを特徴とする遊技機。
【請求項２】
前記検出信号発信部から出力される前記複数の移動検出信号は、
前記移動部の移動過程のそれぞれ異なる所定位置で出力され、
前記適正操作判定手段は、
前記異なる複数種類の移動検出信号の全てを時間差をもって検知したときに前記操作部の操作が行われたものと判定することを特徴とする請求項１に記載の遊技機。
【請求項３】
前記検出信号発信部から出力される前記複数の移動検出信号は、
現在の出力状態を反転させる信号であり、
前記適正操作判定手段は、
前記反転信号を全て検知したときに前記操作部の操作が行われたものと判定することを特徴とする請求項１又は２に記載の遊技機。
【請求項４】
前記適正操作判定手段は、
所定時間の範囲内で前記複数の移動検出信号を検知したときに前記操作部の操作が行われたものと判定することを特徴とする請求項１〜３のいずれかに記載の遊技機。
【請求項５】
前記開始手段は、一端側に前記操作部を備え、他端側に前記移動部を備える途中位置を軸支されたレバー体として構成され、
前記移動部は、光の遮蔽を行う複数の遮蔽部を有し、
前記検出信号発信部は、前記複数の遮蔽部に対応してそれぞれ設けられた光検知手段を有し、
前記各光検知手段の位置は、前記移動部の異なる移動位置でそれぞれ対応する前記遮蔽部によって光の遮蔽が行われるように設定されたことを特徴とする請求項１〜４のいずれかに記載の遊技機。
【請求項６】
前記開始手段は、一端側に前記操作部を備え、他端側に前記移動部を備える前後方向に移動可能に支持されたボタン式として構成され、
前記移動部は、光の遮蔽を行う複数の遮蔽部を有し、
前記検出信号発信部は、前記複数の遮蔽部に対応してそれぞれ設けられた光検知手段を有し、
前記各光検知手段の位置は、前記移動部の異なる移動位置でそれぞれ対応する前記遮蔽部によって光の遮蔽が行われるように設定されたことを特徴とする請求項１〜４のいずれかに記載の遊技機。
【発明の詳細な説明】
【技術分野】
【０００１】
本発明は遊技機、特に開始手段の操作によって作動が開始されるスロットマシンに関する。
【背景技術】
【０００２】
従来のスロットマシンでは、遊技の開始に先立ち、所定枚数のメダル（遊技媒体）が投入されるか、又は遊技機内に貯留されているメダルが電子的に投入され、その後、スタートレバーが操作されると複数の絵柄を可変表示させる可変表示部の駆動が開始されるように構成されている。
【０００３】
スタートレバーが操作されると、遊技機内では、制御部がスタートレバーの操作にかかる検出信号に基づき所定のタイミングで乱数値を取得し、当該遊技における内部入賞役の当否を決定する内部抽選を行っている。
【０００４】
このようにスタートレバーの操作は、遊技機の内部入賞役の当否を決定する内部抽選の契機となるため、その検出は確実に行われる必要がある。ここで、従来から行われているスタートレバーの操作方法について説明する。
【０００５】
図１１は、従来のスタートレバー機構４００の構造を説明する斜視図である。
【０００６】
スタートレバー機構４００は、軸部４０１で軸支されるスタートレバー４０２の先端部側に略球状の操作部４０３を有し、スタートレバー４０２は、この軸部４０１を中心として所定角度の範囲内で上下方向に揺動自在となっており、スプリング等の付勢手段により中立位置に戻るように構成されている。また、スタートレバー機構４００は、スタートレバー４０２の基端部側にこのスタートレバー４０２を間に介して発光部と受光部とからなる光センサ４０４を備え、光センサ４０４の出力信号に基づき制御部においてスタートレバー４０２が操作されたのか否かを判断している。
【０００７】
操作部４０３の操作にかかる判断は、スタートレバー４０２による遮光状態のＨｉ信号及び受光状態のＬｏ信号に基づく単一の２値信号の変化により行われている。
【０００８】
即ち、操作部４０３の非操作状態では、センサ４０４はスタートレバー４０２により遮光されないために受光状態にありＬｏ信号が出力される。その後、操作部４０３が操作されると、スタートレバー４０２によりセンサ４０４が遮光されて遮光状態となりＨｉ信号が出力される。操作部４０３が操作された後、スタートレバー４０２は付勢手段により中立位置に戻り、センサ４０４はスタートレバー４０２によって再び遮光されＬｏ信号が出力される（例えば特許文献１参照）。
【０００９】
【特許文献１】特開２０００−１０７３４５号公報、図１８
【発明の開示】
【発明が解決しようとする課題】
【００１０】
しかしながら、従来のスロットマシンにおいて、遊技者によるスタートレバーの操作は、光センサ４０４等により出力される単一の２値信号の変化に基づいてスタートレバーの操作がなされたと判断しているので、遊技者によるスタートレバーの操作以外の要因によってもスタートレバーの操作と誤認識するおそれがある。
【００１１】
例えば、不正の目的を持った遊技者が、高い利益の得られる入賞役に内部当選する周期を狙って不正手段を用い電波を発信するなどして、検出手段を誤作動させて可変表示装置を駆動させていた。
【００１２】
また、スタートレバーの操作にかかる電気的なノイズを光センサ４０４が拾って、スタートレバーの操作にかかる検出信号として出力してしまうこともある。この場合、スロットマシン内において制御部がスタートレバーの操作を認識し、遊技者がスタートレバーの操作をすることなく自動的に可変表示装置が駆動される。
【００１３】
このように従来のスロットマシンでは、遊技者のスタートレバーの操作以外による可変表示装置の駆動、即ち不正手段による誤作動及び検出手段の誤認識による遊技の開始に対する対策が講じられていないため、遊技者によるスタートレバーの操作だけを検出して可変表示装置を駆動させる遊技機の開発が望まれている。
【００１４】
本発明は、上記種々の点に鑑みてなされたものであり、その目的は、遊技者によりスタートレバーが適正に操作された場合だけ可変表示装置の駆動を開始可能とした遊技機を提供することである。
【課題を解決するための手段】
【００１５】
上記目的を達成する請求項１に記載の遊技機は、
複数種類の図柄を可変表示させる可変表示部と、該可変表示部の作動を開始させるために操作される操作部と、該操作部の操作によって所定範囲内を移動する移動部と、該移動部の移動過程でその移動に対応して複数の移動検出信号を出力する検出信号発信部とを有する開始手段と、検出信号発信部により出力された複数の移動検出信号に基づいて該操作部の操作が行われたか否かを判定する適正操作判定手段とを備えたことを特徴とする。
【００１６】
これにより、操作部が操作されると、適正操作判定手段は、移動部の所定範囲内での移動過程において検出信号発信部より出力された複数の移動検出信号に基づき操作部の操作が行われたのかを判断するので、操作部が操作されたことを確実に検出し、不正手段による誤作動及び検出手段の誤認識による可変表示部の可変表示の開始を防止することができる。
【００１７】
即ち、従来の適正操作判定手段のように、移動部の移動過程で検出信号発信部より出力される単一の検出信号のみに基づいて操作部の操作を判断するのではなく、移動部の移動過程で出力される複数の移動検出信号を用いることにより、操作部が適正に操作されているか否かを判定するので、開始手段の適正な動きを確実に確認することができるものである。
【００１８】
請求項２にかかる遊技機は、
検出信号発信部から出力される複数の移動検出信号は、移動部の移動過程のそれぞれ異なる所定位置で出力され、適正操作判定手段は、異なる複数種類の移動検出信号の全てを時間差をもって検知したときに操作部の操作が行われたものと判定することを特徴とする。
【００１９】
これにより、不正手段による誤作動及び検出手段の誤認識により可変表示手段の可変表示を開始しようとしても、適正操作判定手段は、移動部の移動過程のそれぞれ異なる所定位置で出力された全ての移動検出信号に基づいて操作部の操作を判断するため、不正手段により発せられる信号やノイズを拾うことによる可変表示の開始を確実に防止することが可能となる。
【００２０】
請求項３にかかる遊技機は、
検出信号発信部から出力される複数の移動検出信号は、現在の出力状態を反転させる信号であり、適正操作判定手段は、反転信号を全て検知したときに操作部の操作が行われたものと判定することを特徴とする。
【００２１】
これにより、適正操作判定手段は、ＬｏからＨｉ又はＨｉからＬｏの反転信号を移動検出信号として判定を行うので簡易な動作で上記各請求項の作用を得ることができる。
【００２２】
請求項４にかかる遊技機は、
適正操作判定手段は、所定時間の範囲内で複数の移動検出信号を検知したときに操作部の操作が行われたものとすることを特徴とする。
【００２３】
これにより、所定時間を超えて行われる操作部の操作を適正操作判断手段において適切ではない操作と判断することにより、通常行われる所定時間内での操作部の操作を促して、適正操作判定手段による操作部の適正操作を判定するものである。
【００２４】
請求項５にかかる遊技機は、
開始手段は、一端に操作部を備え、他端に移動部を備える途中位置を軸支されたレバー体として構成され、移動部は光の遮蔽を行う複数の遮蔽部を有し、検出信号発信部は、複数の遮蔽部に対応してそれぞれ設けられた光検知手段を有し、各光検知手段の位置は、移動部の異なる移動位置でそれぞれ対応する遮蔽部によって光の遮蔽が行われるように設定されたことを特徴とする。
【００２５】
これにより、操作部が操作されるとレバー体の他端側の移動部により、その移動過程で複数の遮蔽部がそれぞれに対応して移動部の異なる位置に設けられた光検知手段の光を遮蔽して、複数の移動検出信号を出力するので操作部の操作を確実に検出することができる。すなわち、簡単な構成で請求項１から請求項４の発明による作用を奏することが可能となっている。
【００２６】
請求項６にかかる遊技機は、
開始手段は、一端側に操作部を備え、他端側に移動部を備える前後方向に移動可能に支持されたボタン式として構成され、移動部は、光の遮蔽を行う複数の遮蔽部を有し、検出信号発信部は、複数の遮蔽部に対応してそれぞれ設けられた光検知手段を有し、各光検知手段の位置は、移動部の異なる移動位置でそれぞれ対応する遮蔽部によって光の遮蔽が行われるように設定されたことを特徴とする。
【００２７】
これにより、開始手段をボタン式に構成することにより、請求項５に記載の発明による作用と同様の作用を奏することが可能となる。
【発明の効果】
【００２８】
本発明によれば、操作部の所定範囲内での移動を、その移動過程において複数の移動検出信号を出力して適正操作判定手段において判断するようにしたので、適正な操作部の操作に基づかない不正手段による誤作動やノイズなどに基づく検出手段の誤認識による可変表示部の可変表示の開始を確実に防止して、操作部の適正な操作によってのみ可変表示部の可変表示が開始されることとなる。
【発明を実施するための最良の形態】
【００２９】
以下、本発明にかかる遊技機の好適な実施の形態について、図面を参照しつつ説明する。なお、以下の説明では、遊技機としてスロットマシンを例にして説明する。
【００３０】
（第１実施の形態）
図１は、本発明の一実施の形態に係るスロットマシン１の前面扉３が閉じた状態を示した斜視図、図２は、そのスロットマシン１の前面扉３が開いた状態を示した斜視図である。
【００３１】
スロットマシン１は、本体２と前面扉３とからなる正面視略矩形状の筐体を有している。本体２は、図２に示すように、スロットマシン１の骨格をなす部材であり、回胴Ｌ、Ｍ、Ｒやホッパ４７等を収納するために、前面が開放された中空状の筐体を有している。
【００３２】
本体２の内部には、図２に示すように、各種の図柄等が表示され回転可能に構成された回胴Ｌ、Ｍ、Ｒと、スロットマシン１の遊技を制御する制御基板を収納した基板収納ボックス４０と、電源スイッチ４１とリセットスイッチ４２と設定キー挿入孔４３とを備える電源ボックス４４と、遊技媒体であるメダルを貯留する補助タンク４５とこの補助タンク４５内のメダルを払出用通路６１から開口６２を介してメダル払出口３２へ払い出す支払装置４６とを備えるホッパ４７等が収納されている。
【００３３】
前面扉３は、上述した本体２の前面側開放部分に覆設される部材であり、図２に示すように、ヒンジ部材１０により本体２に開閉可能に連結されている。よって、前面扉３を閉じることにより本体２の前面側開放部分を封鎖することができ、図１に示すように、本体２内に収納される回胴Ｌ、Ｍ、Ｒやホッパ４７等を本体２に収納することができる。一方、前面扉３を開くことにより本体２の前面側を開放することができ、ホッパ４７の補助タンク４５内に貯留されたメダルの回収等を行うことができる。なお、前面扉３には、図１に示すように、施錠装置９が配設されており、かかる施錠装置９により本体２と前面扉３とを図１に示す状態で施錠することができる。
【００３４】
前面扉３は前面枠４によりその外形が形成されており、前面枠４は、視認部４ａと操作部４ｂと貯留部４ｃとに３分割されて構成されている。視認部４ａには、図１に示すように、遊技の進行に伴って点灯・点滅する上部ランプ１１、遊技の進行に伴って種々の効果音等を発生するスピーカ１２、各種の内容を表示する液晶ディスプレイ（以下、（ＬＣＤ）と略す）１３、左回胴Ｌと中回胴Ｍと右回胴Ｒとをそれぞれ透視可能な露出窓１４Ｌ、１４Ｍ、１４Ｒ、メダルのベット数（賭け数）に応じて点灯する５つのヘッドランプ１５、１６、１７、クレジット数表示部１８、ゲーム数表示部１９、払出枚数表示部２０等が設けられている。
【００３５】
操作部４ｂには、図１に示すように、メダルを貯留するか否かを切り替えるクレジットボタン２１と、回胴Ｌ、Ｍ、Ｒの停止を指示する左・中・右回胴用ストップボタン２２〜２４と、メダルの詰まりを解消するメダル詰まり解消ボタン２５と、貯留されたメダルから１枚のメダルを賭けるための１枚ベットボタン２６と、２枚のメダルを賭ける２枚ベッドボタン２７と、最大である３枚のメダルを賭けるいわゆるマックスベッドボタン２８と、各回胴Ｌ、Ｍ、Ｒの回転を開始させるためのスタートレバー２９と、メダル投入口３０と、機種名や遊技に関わるキャラクタ等が表示された表示プレート３１等が設けられている。
【００３６】
貯留部４ｃには、図１に示すように、メダル払出口３２から払い出されたメダルを受けて貯留するメダル受け皿３３、タバコの吸い殻等を入れる灰皿３４等が設けられている。
【００３７】
次に、基板収納ボックス４０内に配設されているスロットマシン１の主制御基板Ｃについて説明する。図３は、スロットマシン１の電気的構成を示したブロック図である。この主制御基板Ｃには、演算装置である１チップマイコンとしてのＭＰＵ５１と、そのＭＰＵ５１に接続されると共に各種のセンサ、スイッチに接続された入出力ポート５４とが搭載されている。ＭＰＵ５１には、ＭＰＵ５１により実行される各種の制御プログラムや固定値データを記憶したＲＯＭ５２と、そのＲＯＭ５２内に記憶される制御プログラムの実行にあたって各種のデータ等を一時的に記憶するためのメモリであるＲＡＭ５３と、割込回路やタイマ回路、データ送受信回路等の各種回路が内蔵されている。
【００３８】
入出力ポート５４は、上述したＲＯＭ５２及びＲＡＭ５３を内蔵したＭＰＵ５１と接続されると共に、各種のセンサ、スイッチに接続されている。具体的に入出力ポート５４には、遊技状態をリセットするためのリセットスイッチ４２と、設定キー挿入孔４３内に設けられて設定キーの操作により遊技の当選確率を６段階に切り替えるための設定キースイッチ６１と、１枚・２枚・マックスベットボタン２６〜２８と、クレジットボタン２１と、スタートレバー２９と、スタートレバー２９の操作を検出する第１フォトカプラ７０ａ及び第２フォトカプラ７０ｂと、左・中・右回胴用ストップボタン２２〜２４と、払い出されたメダルを検出するための払出センサ６２と、回胴Ｌ、Ｍ、Ｒの原点位置をそれぞれ検出する左・中・右回胴インデックスフォトセンサ６３Ｌ、６３Ｍ、６３Ｒと、左・中、右の各回胴Ｌ、Ｍ、Ｒをそれぞれ回転させるための左・中・右回胴用ステッピングモータ６４Ｌ、６４Ｍ、６４Ｒと、１枚・２枚・マックスベットボタン２６〜２８の操作にそれぞれ対応した１〜３枚ベットランプ１５〜１７と、クレジット枚数表示部１８と、ゲーム数表示部１９と、払出枚数表示部２０と、ホッパ駆動モータ６５と、メダル通路切替ソレノイド６６と、主制御基板Ｃから送信されるコマンドを受信して、スピーカ１２から効果音等の出力制御を行うと共に表示表制御基板Ｄを制御してＬＣＤ１３上に演出表示等を行わせるサブ制御基板Ｓとが接続されている。サブ制御基板Ｓには、上部ランプ１１と、スピーカ１２と、サブ制御基板Ｓから送信されるコマンドを受信してＬＣＤ１３上に演出表示等を行う表示用制御基板Ｄとがそれぞれ接続されている。なお、サブ制御基板Ｓと表示用制御基板Ｄとは、データ等を双方向に送受信可能に構成されている。
【００３９】
電源基板５５は、上述した基板収納ボックス４０内に設けられており、主制御基板Ｃの他に、スロットマシン１の各電子機器に駆動電力を供給する電源部５６と、電源断の発生を監視する停電監視回路５７等の各種回路を備えている。スロットマシン１の電源オフ後には、電源基板５５の電源部５６からＲＡＭ５３へバックアップ電圧が供給される。
【００４０】
ＭＰＵ５１は、ＲＯＭ５２内に格納されているプログラムを実行することによりセンサやスイッチの状態を判断する判断手段として構成される。例えば、スタートレバー２９が操作されると検出信号発信部７０により検出され、入出力ポート５４を介してスタートレバー２９の操作にかかる検出信号が入力される。ＭＰＵ５１は、入力された検出信号を展開されたプログラムに基づいて解析し、スタートレバー２９が操作されたと判断すると、入出力ポート５４を介してステッピングモータ６４の駆動にかかる信号を出力する。
【００４１】
ＭＰＵ５１は、センサやスイッチの状態に何らかの異常が発生したと判断した場合、かかる異常を表示すると共にその状態で遊技を一時的に中断する。これにより、遊技店に配備されている係員は、異常の発生したスロットマシンにおいて適切な処置を行うことができる。さらに、ＭＰＵ５１は、異常の発生を判断した場合、入出力ポート５４を介して各スロットマシンを監理する遊技店のメインコンピュータに異常を知らせる信号が送信されるように構成されている。
【００４２】
次に、図４（Ａ）、（Ｂ）及び（Ｃ）及び図５に基づいて実施の形態に係る特徴的な構成要素について説明する。図４は、第１実施の形態における開始手段を構成するスタートレバー２９及び検出信号発信部７０の概略構成を示している。また、図５は、検出信号発信部７０から出力される検出信号の入力タイミングを示したタイミングチャートである。
【００４３】
本実施の形態のスタートレバー２９は、軸部８１によって図示していない台座に支持されており、図４（Ａ）、（Ｂ）及び（Ｃ）に示すように軸部８１を中心として所定角度θ（θ０≦θ≦θ２）の範囲内で上下方向に揺動自在に設けられている。スタートレバー２９のレバー部８２の先端部側には、例えば略球状に形成された操作部８３が固設され、基端部側には、操作部８３の操作が行われた時に、軸部８１を中心としてその移動方向と逆方向に移動する移動部８４が設けられている。本実施の形態では移動部８４は、レバーの長手方向に突出伸長する３本の遮蔽部８４ａ〜８４ｃを有している。なお、スタートレバー２９は、非動作状態では、図示しないスプリング等の付勢手段で中立位置に配置され、同図（Ａ）は操作されていない中立状態が示されている。
【００４４】
また、検出信号発信部７０は、フォトカプラで構成され、本実施の形態では２カ所に設置されており（第１フォトカプラ７０ａ、第２フォトカプラ７０ｂ）、この設置位置は、遮蔽部８４ａ〜８４ｃの揺動位置に対応している。各フォトカプラ７０ａ及び７０ｂには、それぞれ、図示されていない対をなす構成部が存在し、その構成部との間で光の発光、受光が行われる。図上、７１ａ及び７１ｂはそれぞれの発光部、受光部の間の光路を示しており、各フォトカプラ７０ａ及び７０ｂは受光時には「Ｌｏ」信号、遮光時には「Ｈｉ」信号を出力する。
【００４５】
次に、以上の構成からなる本実施の形態に係る開始手段の動作について説明する。まず、遊技者が操作部８３を押し下げ動作すると、まず、同図（Ｂ）に示した状態、すなわち、θ１の角度だけ傾斜した状態を通過する。このとき、移動部８４も同様に逆方向にθ１だけ傾斜する。そして、まず、遮蔽部８４ｂが第２フォトカプラ７０ｂの光路７１ｂを遮蔽する。
【００４６】
図５は、各フォトカプラ７０ａ及び７０ｂからの出力信号の状態をそれぞれ、符号２００及び３００にて示しており、上記図４（Ｂ）で示した状態では、検出信号発信部７０である第２フォトカプラ７０ｂからの出力信号３００が、「Ｌｏ」から「Ｈｉ」に変化する。すなわち、図上、Ｐ−Ａの領域からＰ−Ｂへ変化した状態である（このとき、フォトカプラ７０ａの方の出力信号に変化はない）。本発明では、このような反転信号を移動検出信号としている。
【００４７】
そして、更に、操作部８３の操作が連続され、θ２の角度まで傾斜すると（通常、この角度θ２までの傾斜動作が一気に行われるものである）、同図（Ｃ）に示したように移動部８４もθ２まで傾斜し、移動部８４の遮蔽部８４ａが、第１フォトカプラ７０ａの光路７１ａを遮蔽する。このとき、図５の符号２００にて示したように第１フォトカプラ７０ａからの出力信号が、「Ｌｏ」から「Ｈｉ」に変化する。すなわち、図上Ｐ−Ｃで示した領域の出力状態となる。
【００４８】
上記各フォトカプラ７０ａ及び７０ｂの両方から出力された移動検出信号は、入出力ポート５４（図３参照乞う）を介して主制御基板Ｃに送信されてＲＡＭ５３に一時的に格納される。ここで判断手段としてのＭＰＵ５１により、ＲＯＭ５２に格納されているプログラムを実行して、スタートレバー２９が操作されたのか否かの判断がされる。すなわち、操作者による適正な操作が行われたものか否かが判定される。なお、実施の形態においてスタートレバー２９の操作については、このようにソフトウエアにより判断しているが、ハードウエアを構成することにより判断することも可能である。
【００４９】
本実施の形態では、２つの移動検出信号の双方が時間差をもって確実に出力されたことを確認することにより、適正な操作であることが確認される。例えば、２つの移動検出信号が所定の時間差（即ち最初に第２フォトカプラ７０ｂからの「Ｈｉ」信号、その後に第１フォトカプラ７０ａからの「Ｈｉ」信号）をもって入力されると、スタートレバー２９が適正に操作されたと判断される。
【００５０】
すなわち、この様に適式に操作部８３が操作されていれば、必ず２つの信号が所定の時間差（操作部８３の操作スピードに応じて変化する時間差）を持って出力されることから、確実にその適式な操作がなされたことを確認することができるものである。１回だけの出力信号では、不正に信号が発せられる場合を識別することができないことによるものである。
【００５１】
例えば、従来課題となっていた不正手段により電波等を発信して検出信号発信部７０であるフォトカプラを誤作動させようとする場合、第１フォトカプラ７０ａ及び第２フォトカプラ７０ｂが同時に反応し、適式にスタートレバー２９を操作した場合のように所定の時間差を有して検出信号を出力することができない。これにより、ＭＰＵ５１においてスタートレバー２９が適式に操作されていないと判断することが可能となるものである。また、スタートレバー２９の操作にかかる電気的なノイズを拾った場合でも第１フォトカプラ７０ａ及び第２フォトカプラ７０ｂは同時に反応してしまうので、同様にスタートレバー２９が適式に操作されていないと判断可能となる。
【００５２】
なお、スロットマシン１において、所定時間内又は所定回数に亘って第１フォトカプラ７０ａ及び第２フォトカプラ７０ｂからの移動検出信号が所定の時間差を有することなく入出力ポート５４を介して主制御基板Ｃに入力された場合、適式にスタートレバー２９が操作されていない旨を表示すると共にその状態で遊技を一時的に中断する。さらに、ＭＰＵ５１から入出力ポート５４を介して遊技店のメインコンピュータに異常を知らせる信号が出力される構成となっているため、係員により迅速に対応可能となる。
【００５３】
この適正操作がなされた判定に基づき、スロットマシン１の以後の通常の動作が開始され、左・中・右の各回胴Ｌ、Ｍ、Ｒをそれぞれ回転させるために入出力ポート５４を介して所定のタイミングで左・中・右回胴用ステッピングモータ６４Ｌ、６４Ｍ、６４Ｒに対してステッピングモータを駆動するための信号が送信される。
【００５４】
なお、スタートレバー２９の操作による移動部８４の移動をフォトカプラ等の光学的な検出手段により検出したが、これに限定されるものではなく、例えば磁気センサ等の磁気的な検出手段を用いることも可能である。
【００５５】
また、操作部８３の操作が、押し下げ動作でなされる場合を例示したが、逆に押し上げられる場合は、移動部８４の遮蔽板８４ｃが上述した遮蔽板８４ｂの役割を果たし、同様の作用を奏する。
【００５６】
さらに、操作部８３が操作開始されて所定時間内に移動部８４が中立位置のθ０からθ２に揺動されず、例えば第２フォトカプラ７０ｂからの「Ｈｉ」信号３００が入力した後に第１フォトカプラ７０ａからの「Ｈｉ」信号２００が所定時間内にＭＰＵ５１に入力されない場合には、判断手段において、当該操作は適式に操作されなかったものと判断する。これは、不当に遅い操作部８３の操作を判断手段において適式な操作と判定しないことにより、上述したように角度θ２までの傾斜動作を一気に行わせて、操作部の円滑な操作を促すものである。
【００５７】
（第２実施の形態）
第２実施の形態について図６乃至図８を参照しつつ説明する。尚、図６及び図７において、第１の実施の形態と同様の構成要素には図４及び図５と同様の符号を付することでその詳細な説明を省略し、異なる部分を主に説明する。
【００５８】
図６は、開始手段を構成するスタートレバー２９及び検出信号発光部７２の概念構成図である。スタートレバー２９は、先端部と基端部との途中位置が軸部９１によって軸支されている。スタートレバー２９は、先端部が筐体の前面から突出し基端部が筐体内に配置される長さを有している。そして、先端部側には略球状の操作部９３が取り付けられおり、基端部側には移動部９４が設けられている。
【００５９】
スタートレバー２９は、軸部９１によって図示していない台座に支持されており、軸部９１を中心として先端部側と基端部側とをそれぞれ上下方向に所定範囲内で揺動可能に設けられている。そして、図示していないスプリング等の付勢手段によって付勢されており、操作部９３を上方または下方に移動させた場合、図６（Ａ）に示すように略水平方向に延在する姿勢状態を保つように構成されている。
【００６０】
移動部９４は、スタートレバー２９のレバー部９２から同軸上に延出するように設けられており、軸部９１側から基端部側に向かって順番に第１被検出部９５と第２被検出部９６が設けられている。
【００６１】
第１被検出部９５は、レバー部９２から上下方向に互いに離間する方向に延出する平板形状を有している。そして、その中心を左右方向に貫通する貫通孔９５ａが設けられて、貫通孔９５ａの下方に第１遮蔽部９５ｂが形成され、貫通孔９５ａの上方に第２遮蔽部９５ｃが形成されている。
【００６２】
貫通孔９５ａは、後述する第１フォトカプラ７２ａの光路７３ａを確保できる大きさの内径を有しており、第１遮蔽部９５ｂは、移動部９４が上方に移動した際に、第１フォトカプラ７２ａの光路７３ａを遮蔽し、第２遮蔽部９５ｃは、移動部９４が下方に移動した際に、第１フォトカプラ７２ａの光路７３ａを遮蔽する大きさを有している。
【００６３】
第２被検出部９６は、第１被検出部９５の端部からレバー部９２の上下幅とほぼ等しい上下幅を有してレバー部９２の軸方向に沿って延出する形状を有しており、第３遮蔽部９６ａが形成されている。
【００６４】
第３遮蔽部９６ａは、スタートレバー２９が待機状態にある場合、すなわち、レバー部９２が略水平方向に延在する姿勢状態にあって移動部９４がセンタポジションに配置されている場合に、第２フォトカプラ７２ｂの光路７３ｂを遮蔽し、移動部９４が上方あるいは下方に移動した際に、第２フォトカプラ７２ｂの光路７３ｂが確保される形状を有している。
【００６５】
検出信号発光部７２を構成する各フォトカプラ７２ａ及び７２ｂは、本実施の形態では、２箇所に設置されている。
【００６６】
第１フォトカプラ７２ａは、発光部と受光部が第１被検出部９５を間に介してその左右位置に対向配置されており、スタートレバー２９が待機状態にある場合に、光路７３ａが貫通孔９５ａを通過し、移動部９４がθ２だけ上方に移動した場合に第１遮蔽部９５ｂによって光路７３ａを遮蔽し、また、移動部９４がθ２だけ下方に移動した場合に第２遮蔽部９５ｃによって光路７３ａを遮蔽する位置に配置されている。
【００６７】
第２フォトカプラ７２ｂは、発光部と受光部が第２被検出部９６を間に介してその左右位置に対向配置されており、スタートレバー２９が待機状態にある場合に、光路７３ｂを第３遮蔽部９６ａによって遮蔽し、移動部９４がθ１だけ上方あるいは下方に移動した場合に光路７３ｂが確保される位置に配置されている。
【００６８】
第１フォトカプラ７２ａと第２フォトカプラ７２ｂは、受光時には「Ｌｏ」信号、遮光時には「Ｈｉ」信号を出力する。
【００６９】
次に、以上の構成からなる本実施の形態に係る開始手段の動作について説明する。
【００７０】
図７は、第１フォトカプラ７２ａ及び第２フォトカプラ７２ｂからの移動検出信号の状態をそれぞれ符号２０１及び３０１にて示しており、上記図６（Ｂ）で示した状態では、検出信号発光部７２である第２フォトカプラ７２ｂからの出力信号２０１が「Ｈｉ」から「Ｌｏ」に変化する。すなわち、図上、Ｐ−Ａの領域からＰ−Ｂへ変化した状態である（このとき、第１フォトカプラ７２ａの出力信号に変化は生じない）。
【００７１】
そして、更に、操作部９３の操作が連続され、θ２の角度まで移動して傾斜すると、同図（Ｃ）に示したように、移動部９４もθ２まで移動し、移動部９４の第１遮蔽部９５ｂが第１フォトカプラ７２ａの光路７３ａを遮蔽する。
【００７２】
このとき、図７の符号３０１にて示したように第１フォトカプラ７２ａからの出力信号３０１が「Ｌｏ」から「Ｈｉ」に変化する。すなわち、図上Ｐ−Ｃで示した領域の出力状態となる。
【００７３】
上記第１フォトカプラ７２ａ及び第２フォトカプラ７２ｂの両方から出力された検出信号は、入出力ポート５４を介して主制御基板Ｃに送信されてＲＡＭ５３に一時的に格納される。
【００７４】
ここで判断手段としてのＭＰＵ５１により、ＲＯＭ５２に格納されているプログラムを実行して、スタートレバー２９が操作されたのか否かの判断がされる。なお、実施の形態においてスタートレバー２９の操作については、ソフトウエアにより判断しているが、第１実施の形態と同様にハードウエアを構成することにより判断することも可能である。
【００７５】
本実施の形態では、２つの移動検出信号の双方が時間差を持って確実に出力されたことを確認することにより、適式な操作であることが確認される。例えば、２つの移動検出信号が所定の時間差（即ち、第２フォトカプラ７２ｂからの「Ｌｏ」信号、その後に第１フォトカプラ７２ａからの「Ｈｉ」信号）をもって入力されると、スタートレバー２９が適正に操作されたと判断される。
【００７６】
第２実施の形態によると、移動部９４の上下方向の移動を、その移動過程において２個の第１フォトカプラ７２ａ及び第２フォトカプラ７２ｂによって検出し、２種類の移動検出信号を使用して判断するようにしたことにより、第１実施の形態と同様にスタートレバー２９の操作にかかる判断を正確に行うことができる。従って、遊技者によるスタートレバー２９の操作にかかる動作だけを確実に検出して、スタートレバー２９の操作にかかる信号を出力可能となる。即ち、遊技者によってスタートレバー２９が操作されないと、移動部９４の移動を検出する第１フォトカプラ７２ａ及び第２フォトカプラ７２ｂにより出力される検出信号が反転してないため、判断手段であるＭＰＵ５１において適式なスタートレバー２９の操作を認識できない。このようなスタートレバー２９の操作の検出は、従来の単一の移動検出信号による判断に基づいて行うことはできない。
【００７７】
例えば、従来課題となっていた不正手段により電波等を発信して検出信号発信部７２であるフォトカプラを誤作動させようとする場合、第１フォトカプラ７２ａ及び７２ｂの出力状態が異なるため、検出信号発信部７２を誤作動させることができない。即ち、不正手段を用いても、第１フォトカプラ７２ａ及び第２フォトカプラ７２ｂの出力状態を同時に反転させることができないため、ＭＰＵ５１においてスタートレバー２９が適式に操作されていないと判断することが可能となる。同様の理由で、スタートレバー２９の操作にかかる電気的なノイズを拾った場合でもスタートレバー２９が適式に操作されていないと判断可能となる。
【００７８】
また、上記第１実施の形態と同様に操作部９３が操作開始されて所定時間内に移動部９４が中立位置のθ０からθ２に揺動されない場合には、判断手段において、当該操作は適式に操作されなかったものと判断する。
【００７９】
なお、第１実施の形態及び第２実施の形態において、開始手段としてスタートレバー２９を例にして説明したが、以下の第３実施の形態及び第４実施の形態で説明するように開始手段は例えばボタン式であっても良い。
【００８０】
（第３実施の形態）
例えば、図９に示した第３実施の形態では、第１実施の形態のスタートレバー２９をスタートボタン１００として形成し、第１実施の形態と同様の作用を奏するように構成している。
【００８１】
図９は、開始手段を構成するスタートボタン１００及び検出信号発信部７４の概念構成図である。本実施の形態のスタートボタン１００は、上記実施の形態に対応して先端部が筐体の前面から突出し、基端部が筐体内に配置される所定の長さを有している。スタートボタン１００は、先端部側の操作部１０３が円板状に形成され、基端部側の移動部１０４が長さ方向に操作部１０３とほぼ同径で一体形成されると共に、先端部と基端部の途中位置で径方向に突出する係止部１０５が受け部１０６に固設されるガイド部材１０７内を軸方向に所定距離Ｈ（Ｈ０≦Ｈ≦Ｈ２）の範囲内で摺接することによって移動可能に支持されている。受け部１０６は筐体の前面扉３に固設されて、移動部１０４の移動距離に対応して筐体の内部方向に所定の深さを有する有底筒状ハウジングである。そして、スプリング１０８等の付勢手段により付勢されており、操作部１０３を下方に移動させた場合、図９（Ａ）に示すように係止部１０５がガイド部材１０７に当接することにより中立姿勢を保つように構成されている。なお、特に図示しないが、操作部１０３はプラスチック製のカバー部材等により操作部１０３の突出部分を筐体の前面側より覆われている。
【００８２】
移動部１０４は、スタートボタン１００の操作部１０３から同軸上に延出するように設けられ、軸線を介して径方向の一端側を第１被検出部１０９として構成し、他端側を第２被検出部１１０として構成している。
【００８３】
第１被検出部１０９には、長さ方向に直交する径方向に貫通孔１１１が設けられ、貫通孔１１１の上方には第１遮蔽部１１２が設けられている。貫通孔１１１は、後述する第１フォトカプラ７４ａの光路７５ａを確保できる大きさの内径を有しており、第１遮蔽部１１２は、移動部１０４が下方に移動した際に、第１フォトカプラ７４ａの光路７５ａを遮蔽するように構成されている。一方、第２被検出部１１０には、第２遮蔽部１１３のみが形成されている。
【００８４】
上記実施の形態と同様の移動検出信号を出力する検出信号発信部７４を構成する各フォトカプラ７４ａ、７４ｂは、同様に２カ所に設置されている。
【００８５】
第１フォトカプラ７４ａは、発光部と受光部が第１被検出部１０９を介して対向配置され、スタートボタン１００が待機状態にある場合、光路７５ａは貫通孔１１１を通過し、移動部１０４がＨ１だけ下方に移動した場合に第１遮蔽部１１２により光路７５ａが遮蔽される位置に配置されている。
【００８６】
第２フォトカプラ７４ｂは、第２被検出部１１３の下方に発光部と受光部が対向配置されるように配置されている。移動部１０４がＨ１だけ下方に移動した場合に第２フォトカプラ７４ｂの光路７５ｂが確保される位置に配置されていると共に、移動部１０４がさらにＨ２まで移動する場合に第２遮蔽部１１３により光路７５ｂが遮蔽される位置に配置されている。
【００８７】
次に、以上の構成からなる本実施の形態にかかる開始手段の動作について説明する。なお、検出信号発信部７４から出力される検出信号の入力タイミングのタイミングチャートは、第１実施の形態における図５に示されるタイミングチャートと同様であるため図示を省略して説明する。
【００８８】
まず、操作部１０３が押し下げられると、図９（Ｂ）に示すようにＨ１の距離だけ下方に移動した状態となる。このとき、移動部１０４も下方にＨ１だけ移動し、第１遮蔽部１１２により第１フォトカプラ７４ａの光路７５ａが遮蔽され、第２遮蔽部１１３により第２フォトカプラ７４ｂの光路７５ｂは遮蔽されていない。図９（Ｂ）の状態では、第１フォトカプラ７４ａからの出力信号（信号３００に対応）が「Ｌｏ」から「Ｈｉ」に変化し、図５のＰ−ＡからＰ−Ｂ領域への変化に対応する。
【００８９】
さらに操作部１０３の操作が連続されてＨ２まで押し下げられると、図９（Ｃ）に示すようにＨ２の距離だけ下方に移動した状態となる。このとき、移動部１０４も下方にＨ２だけ移動し、第２遮蔽部１１３が第２フォトカプラ７４ｂの光路７５ｂを遮蔽する。図９（Ｃ）の状態では、第２フォトカプラ７４ｂからの出力信号（信号２００に対応）が「Ｌｏ」から「Ｈｉ」に変化し、図５のＰ−ＢからＰ−Ｃ領域への変化に対応する。
【００９０】
上記各フォトカプラ７４ａ、７４ｂの両方から出力された検出信号は、第１実施の形態と同様に入出力ポート５４を介して主制御基板Ｃに送信されてＲＡＭ５３に一時的に格納される。ここで判断手段としてのＭＰＵ５１により、ＲＯＭ５２に格納されているプログラムを実行して、スタートボタン１００が適正に操作されたのか否かの判断がされる。なお、本実施の形態においてスタートボタン１００の操作については、ソフトウエアにより判断しているが、上記実施の形態と同様にハードウエアを構成することにより判断することも可能である。
【００９１】
本実施の形態では、第１実施の形態と同様に２つの移動検出信号の双方が時間差をもって確実に出力されたことを確認することにより、適正な操作であることが確認される。例えば、２つの移動検出信号が所定の時間差（即ち最初に第１フォトカプラ７４ａからの「Ｈｉ」信号、その後に第２フォトカプラ７４ｂからの「Ｈｉ」信号）をもって入力されると、スタートボタン１００が適正に操作されたと判断される。
【００９２】
（第４実施の形態）
例えば、図１０に示した第４実施の形態では、第２実施の形態のスタートレバー２９をスタートボタン１００として形成し、第２実施の形態と同様の作用を奏するように構成している。
【００９３】
図１０は、開始手段を構成するスタートボタン１００及び検出信号発信部７６の概念構成図である。本実施の形態のスタートボタン１００は、上記実施の形態に対応して先端部が筐体の前面から突出し、基端部が筐体内に配置される所定の長さを有している。スタートボタン１００は、先端部側の操作部１２３が円板状に形成され、基端部側の移動部１２４が長さ方向に操作部１２３とほぼ同径で一体形成されると共に、先端部と基端部の途中位置で径方向に突出する係止部１２５が受け部１２６に固設されるガイド部材１２７内を軸方向に所定距離Ｈ（Ｈ０≦Ｈ≦Ｈ２）の範囲内で摺接することによって移動可能に支持されている。受け部１２６は筐体の前面扉３に固設されて、移動部１２４の移動距離に対応して筐体の内部方向に所定の深さを有する有底筒状ハウジングである。そして、スプリング１２８等の付勢手段により付勢されており、操作部１２３を下方に移動させた場合、図９（Ａ）に示すように係止部１２５がガイド部材１２７に当接することにより中立姿勢を保つように構成されている。なお、特に図示しないが、操作部１２３はプラスチック製のカバー部材等により操作部１２３の突出部分を筐体の前面側より覆われている。
【００９４】
移動部１２４は、スタートボタン１００の操作部１２３から同軸上に延出するように設けられ、軸線を介して径方向の一端側を第１被検出部１２９として構成し、他端側に第２被検出部１３０として構成している。
【００９５】
第１被検出部１２９には、長さ方向に直交する径方向に第１貫通孔１３１が設けられ、第１貫通孔１３１の上方に第１遮蔽部１３２が設けられ、第１貫通孔１３１の下方に第２遮蔽部１３３が設けられている。第１貫通孔１３１は、後述する第１フォトカプラ７６ａの光路７７ａを確保できる大きさの内径を有しており、第１遮蔽部１３２は、移動部１２４が下方に移動した際に第１フォトカプラ７６ａの光路７７ａを確保するように構成されると共に、第２遮蔽部１３３は、移動部１２４の待機状態時に第１フォトカプラ７６ａの光路７７ａを遮蔽するように構成されている。
【００９６】
第２被検出部１３０には、第１被検出部１２９の第１貫通孔１３１より長さ方向で下方位置に長さ方向に直交する径方向に第２貫通孔１３４が設けられ、第２貫通孔１３４の上方に第３遮蔽部１３５が設けられている。第２貫通孔１３４は、後述する第２フォトカプラ７６ｂの光路７７ｂを確保できる大きさの内径を有しており、第３遮蔽部１３５は、移動部１２４が下方に移動した際に、第２フォトカプラ７６ｂの光路７７ｂを遮蔽するように構成されている。
【００９７】
上記実施の形態と同様の移動検出信号を出力する検出信号発信部７６を構成する各フォトカプラ７６ａ、７６ｂは、同様に２カ所に設置されている。
【００９８】
第１フォトカプラ７６ａは、発光部と受光部が第１被検出部１２９を介して対向配置され、スタートボタン１００が待機状態にある場合、光路７７ａは第２遮蔽部１３３により遮蔽され、移動部１２４がＨ１だけ下方に移動した場合に第１貫通孔１３１により光路７７ａが確保される位置に配置されている。
【００９９】
第２フォトカプラ７６ｂは、発光部と受光部が第２被検出部１３０を介して対向配置され、スタートボタン１００が待機状態にある場合、光路７７ｂが第２貫通孔１３４を通過し、移動部１２４がＨ２だけ下方に移動した場合に光路７７ｂが第２遮蔽部１３５により遮蔽される位置に配置されている。
【０１００】
次に、以上の構成からなる本実施の形態にかかる開始手段の動作について説明する。なお、検出信号発信部７６から出力される検出信号の入力タイミングのタイミングチャートは、第２実施の形態における図７のタイミングチャートと同様であるため図示を省略して説明する。
【０１０１】
まず、操作部１２３が押し下げられて、図１０（Ｂ）で示した状態となると、第１フォトカプラ７６ａの光路７７ａが確保されるため、検出信号発光部である第１フォトカプラ７６ａからの出力信号（信号２０１に対応）が「Ｈｉ」から「Ｌｏ」に変化する。すなわち、第２実施の形態における図７のＰ−ＡからＰ−Ｂ領域へ変化した状態に対応する。
【０１０２】
更に、操作部１２３の操作が連続され、Ｈ２の距離まで押し下げられると、同図（Ｃ）に示したように、移動部１２４もＨ２まで移動し、移動部１２４の第３遮蔽部１３５が第２フォトカプラ７６ｂの光路７７ｂを遮蔽する。
【０１０３】
このとき、第２フォトカプラ７６ｂからの出力信号（信号３０１に対応）が「Ｌｏ」から「Ｈｉ」に変化する。すなわち、第２実施の形態における図７のＰ−ＢからＰ−Ｃ領域で示した領域の出力状態に対応する。
【０１０４】
上記第１フォトカプラ７６ａ及び第２フォトカプラ７６ｂの両方から出力された移動検出信号は、第２実施の形態と同様に入出力ポート５４を介して主制御基板Ｃに送信されてＲＡＭ５３に一時的に格納される。
【０１０５】
ここで判断手段としてのＭＰＵ５１により、ＲＯＭ５２に格納されているプログラムを実行して、スタートボタン１００適正操作がなされたのか否かの判断がされる。本実施の形態では、２つの移動検出信号の双方が時間差を持って確実に出力されたことを確認することにより、適式な操作であることが確認される。例えば、２つの移動検出信号が所定の時間差（即ち、最初に第１フォトカプラ７６ａからの「Ｌｏ」信号、その後に第２フォトカプラ７６ｂからの「Ｈｉ」信号）をもって入力されると、スタートボタン１００が適正に操作されたと判断される。なお、本実施の形態においてスタートボタン１００の操作については、ソフトウエアにより判断しているが、上記実施の形態と同様にハードウエアを構成することにより判断することも可能である。
【０１０６】
以上説明した第１実施の形態から第４実施の形態によると、移動部の所定方向への移動を、その移動過程において２個のフォトカプラ（第１フォトカプラ及び第２フォトカプラ）によって２種類の移動検出信号を出力し、判断手段として構成されるＭＰＵ５１において入力された２種類の移動検出信号に基づいて判断するようにしたことにより、第１実施の形態から第４実施の形態で説明したように開始手段として構成されるスタートレバー２９又はスタートボタン１００の操作にかかる判断を正確に行うことができる。
【０１０７】
これによれば、従来の開始手段においてフォトカプラ等の検出信号発信部を１個だけ設けて、検出信号発信部より出力される単一の検出信号にのみ基づいて判断手段としてのＭＰＵ５１において開始操作にかかる判断を行ってきたので、適式に操作がなされなかった場合についても開始手段の操作と誤認識するおそれがあるという課題を確実に解決することができる。
【０１０８】
例えば、第１実施の形態及び第３実施の形態に記載のように、移動部の所定方向への移動を、その移動過程において第１フォトカプラ及び第２フォトカプラにより出力される２種類の反転信号が所定の時間差、例えば最初に第１フォトカプラからの「Ｈｉ」信号が出力され、その後に第２フォトカプラからの「Ｈｉ」信号が出力されることによって時間差をもって判断手段としてのＭＰＵ５１に出力されることにより、ＭＰＵ５１では、時間差を有して入力された２種類の反転信号に基づいて開始手段の適正操作のみを開始にかかる操作と確実に判断することができる。
【０１０９】
従って、例えば、従来課題となっていた不正手段により電波等を発信して検出信号発信部であるフォトカプラを誤作動させようとする場合、第１フォトカプラ及び第２フォトカプラが同時に反応し、適式にスタートレバー２９又はスタートボタン１００を操作した場合のように所定の時間差を有して検出信号を出力することができない。これにより、ＭＰＵ５１においてスタートレバー２９又はスタートボタン１００が適式に操作されていないと判断することが可能となるものである。また、スタートレバー２９又はスタートボタン１００の操作にかかる電気的なノイズを拾った場合でも第１フォトカプラ及び第２フォトカプラは同時に反応してしまうので、同様にスタートレバー２９又はスタートボタン１００が適式に操作されていないと判断可能となる。
【０１１０】
また、例えば第２実施の形態及び第４実施の形態に記載のように、移動部の所定方向への移動を、その移動過程において第１フォトカプラ及び第２フォトカプラにより出力される２種類の反転信号が所定の時間差、例えば最初に第１フォトカプラからの「Ｈｉ」信号が出力され、その後に第２フォトカプラからの「Ｌｏ」信号が出力されることによって生じる時間差をもって判断手段としてのＭＰＵ５１に出力されることにより、ＭＰＵ５１では、時間差をもって入力された２つの反転信号に基づいて開始手段の適正操作のみを開始にかかる操作と判断することができる。
【０１１１】
従って、例えば、従来課題となっていた不正手段により電波等を発信して検出信号発信部であるフォトカプラを誤作動させようとする場合、第１フォトカプラ及び第２フォトカプラの出力状態を同時に反転させることができないため、検出信号発信部を誤作動させることができない。即ち、不正手段を用いても、第１フォトカプラ及び第２フォトカプラの出力状態を同時に反転させることができないため、ＭＰＵ５１においてスタートレバー２９又はスタートボタン１００が適式に操作されていないと判断することが可能となる。同様の理由で、スタートレバー２９又はスタートボタン１００の操作にかかる電気的なノイズを拾った場合でもスタートレバー２９又はスタートボタン１００が適式に操作されていないと判断可能となる。
【０１１２】
なお、本発明は上記実施の形態に限定されることなく、発明の趣旨を逸脱しない範囲で種々変更可能である。例えば、上記実施の形態では２つの移動検出信号に基づいて操作部の操作が適正に行われたかを判定しているが、３つ以上の移動検出信号に基づいて操作部の適正操作を判定することも可能である。
【図面の簡単な説明】
【０１１３】
【図１】本発明の一実施の形態であるスロットマシンの前面扉が閉じた状態を示した斜視図である。
【図２】スロットマシンの前面扉が開いた状態を示した斜視図である。
【図３】スロットマシンの電気的構成を示したブロック図である。
【図４】第１実施の形態における開始手段の構成を概念的に示した断面図である。
【図５】同じく検出信号の入力タイミングのタイミングチャートである。
【図６】第２実施の形態における開始手段の構成を概念的に示した断面図である。
【図７】同じく検出信号の入力タイミングのタイミングチャートである。
【図８】同じくスロットマシンの電気的構成を示したブロック図である。
【図９】第３実施の形態における開始手段の構成を概念的に示した断面図である。
【図１０】第４実施の形態における開始手段の構成を概念的に示した断面図である。
【図１１】従来のスタートレバーの動作の検出を説明するスタートレバー機構の斜視図である。
【符号の説明】
【０１１４】
１      スロットマシン
２      本体
３      前面扉
２９    スタートレバー
４０    制御基板収納ボックス
５１    ＭＰＵ
５２    ＲＯＭ
５３    ＲＡＭ
５４    入出力ポート
７０、７２、７４、７６    フォトカプラ（検出信号発信部）
７１、７３、７５、７７    光路
８１、９１    軸部
８２、９２    レバー部
８３、９３、１０３、１２３    操作部
８４、９４、１０４、１２４    移動部
８４ａ、８４ｂ、８４ｃ    遮蔽部
９５    第１被検出部
９５ａ  貫通孔
９５ｂ  第１遮蔽部
９５ｃ  第２遮蔽部
９６    第２被検出部
９６ａ  第３遮蔽部
１００  スタートボタン
Ｃ      主制御基板
Ｌ      左回胴
Ｍ      中回胴
Ｒ      右回胴
Ｈ      移動距離
θ      揺動角
【図１】
2005230166.tif 000003
【図２】
2005230166.tif 000004
【図３】
2005230166.tif 000005
【図４】
2005230166.tif 000006
【図５】
2005230166.tif 000007
【図６】
2005230166.tif 000008
【図７】
2005230166.tif 000009
【図８】
2005230166.tif 000010
【図９】
2005230166.tif 000011
【図１０】
2005230166.tif 000012
【図１１】
2005230166.tif 000013